(57)【要約】【課題】カラー画像を記録するときに複数色の光源を用いる必要のない光記録型表示媒体を提供すること。【解決手段】本発明の光記録型表示媒体は、印加される電圧に応じて配向が変化し、特定の配向のときに特定の色の光を反射する液晶層と、前記液晶層に対して直列に接続される感光層であって、前記液晶層および前記感光層に対して電圧が印加されると前記液晶層と前記感光層とによって前記電圧が分圧され、光が照射されると前記液晶層の分圧比を増加させる感光層とを有する第１、第２表示層を具備し、前記第１、第２表示層は、前記第１、第２表示層の感光層が、前記第１表示層の液晶層と前記第２表示層の液晶層とに挟まれた配置となるように積層され、前記第１、第２表示層の液晶層は、互いに異なる色の光を反射し、前記第１、第２表示層の感光層は、前記第２表示層の液晶層が反射する色の光を透過することを特徴とする。【選択図】図２
2010191191.tif 000002
【特許請求の範囲】
【請求項１】
印加される電圧に応じて配向が変化し、特定の配向のときに特定の色の光を反射する液晶層と、
前記液晶層に対して直列に接続される感光層であって、前記液晶層および前記感光層に対して電圧が印加されると前記液晶層と前記感光層とによって前記電圧が分圧され、光が照射されると前記液晶層の分圧比を増加させる感光層と
を有する第１、第２表示層を具備し、
前記第１、第２表示層は、前記第１、第２表示層の感光層が、前記第１表示層の液晶層と前記第２表示層の液晶層とに挟まれた配置となるように積層され、
前記第１、第２表示層の液晶層は、互いに異なる色の光を反射し、
前記第１、第２表示層の感光層は、前記第２表示層の液晶層が反射する色の光を透過する
ことを特徴とする光記録型表示媒体。
【請求項２】
前記第２表示層は、前記液晶層に対して前記感光層とは反対側に、光を吸収する吸収層を有する
ことを特徴とする請求項１に記載の光記録型表示媒体。
【請求項３】
前記吸収層は、前記第２表示層の液晶層が反射する色の光を吸収し、
前記第１、第２表示層の感光層は、前記第１表示層の液晶層が反射する色の光を吸収する
ことを特徴とする請求項２に記載の光記録型表示媒体。
【請求項４】
前記第１、第２表示層の少なくとも一方は、２層の液晶層を有し、
前記２層の液晶層の各々は、それぞれ配向が変化する電圧が異なるとともに、異なる色の光を反射する
ことを特徴とする請求項１乃至請求項３のいずれかに記載の光記録型表示媒体。
【請求項５】
請求項１乃至請求項４のいずれかに記載の表示媒体に対して、前記第２表示層の液晶層が反射する色以外を含む光を照射する照射手段と、
前記第１、第２表示層の電極に、電圧を順次印加する電圧印加手段と
を具備し、
前記照射手段は、前記電圧印加手段によって、第１表示層の電極への電圧印加中と、第２表示層の電極への電圧印加中とでは、照射する光量が異なる
ことを特徴とする記録装置。
【請求項６】
請求項１乃至請求項４のいずれかに記載の表示媒体に対して、前記第２表示層の液晶層が反射する色以外を含む光を照射する照射手段と、
前記第１、第２表示層の電極に、電圧を順次印加する電圧印加手段と
を具備し、
前記照射手段は、前記電圧印加手段によって第１表示層の電極への電圧印加中には、前記第１表示層の感光層側から光を照射し、第２表示層の電極への電圧印加中には、前記第２表示層の感光層側から光を照射する
ことを特徴とする記録装置。
【発明の詳細な説明】
【技術分野】
【０００１】
本発明は、光記録型表示媒体および記録装置に関する。
【背景技術】
【０００２】
光記録型表示媒体に光を照射することにより画像を記録する技術において、特定波長域の可視光を反射する表示層と、特定波長域の光を吸収して光量に応じて抵抗値を変化させる光導電層とを複数積層することにより、カラー表示可能な表示媒体が開示されている（例えば、特許文献１）。
【先行技術文献】
【特許文献】
【０００３】
【特許文献１】特開２００７−２９８８１８号公報
【発明の概要】
【発明が解決しようとする課題】
【０００４】
本発明は、記録装置を用いてカラー画像を記録するときに、複数色の光源を用いる必要のない光記録型表示媒体を提供することを目的とする。
【課題を解決するための手段】
【０００５】
本発明の請求項１に係る光記録型表示媒体は、印加される電圧に応じて配向が変化し、特定の配向のときに特定の色の光を反射する液晶層と、前記液晶層に対して直列に接続される感光層であって、前記液晶層および前記感光層に対して電圧が印加されると前記液晶層と前記感光層とによって前記電圧が分圧され、光が照射されると前記液晶層の分圧比を増加させる感光層とを有する第１、第２表示層を具備し、前記第１、第２表示層は、前記第１、第２表示層の感光層が、前記第１表示層の液晶層と前記第２表示層の液晶層とに挟まれた配置となるように積層され、前記第１、第２表示層の液晶層は、互いに異なる色の光を反射し、前記第１、第２表示層の感光層は、前記第２表示層の液晶層が反射する色の光を透過することを特徴とする。
【０００６】
本発明の請求項２に係る光記録型表示媒体は、請求項１の構成において、前記第２表示層は、前記液晶層に対して前記感光層とは反対側に、光を吸収する吸収層を有することを特徴とする。
【０００７】
本発明の請求項３に係る光記録型表示媒体は、請求項２の構成において、前記吸収層は、前記第２表示層の液晶層が反射する色の光を吸収し、前記第１、第２表示層の感光層は、前記第１表示層の液晶層が反射する色の光を吸収することを特徴とする。
【０００８】
本発明の請求項４に係る光記録型表示媒体は、請求項１乃至請求項３のいずれかの構成において、前記第１、第２表示層の少なくとも一方は、２層の液晶層を有し、前記２層の液晶層の各々は、それぞれ配向が変化する電圧が異なるとともに、異なる色の光を反射することを特徴とする。
【０００９】
本発明の請求項５に係る記録装置は、請求項１乃至請求項４のいずれかに記載の表示媒体に対して、前記第２表示層の液晶層が反射する色以外を含む光を照射する照射手段と、前記第１、第２表示層の電極に、電圧を順次印加する電圧印加手段とを具備し、前記照射手段は、前記電圧印加手段によって、第１表示層の電極への電圧印加中と、第２表示層の電極への電圧印加中とでは、照射する光量が異なることを特徴とする。
【００１０】
本発明の請求項６に係る記録装置は、請求項１乃至請求項４のいずれかに記載の表示媒体に対して、前記第２表示層の液晶層が反射する色以外を含む光を照射する照射手段と、前記第１、第２表示層の電極に、電圧を順次印加する電圧印加手段とを具備し、前記照射手段は、前記電圧印加手段によって第１表示層の電極への電圧印加中には、前記第１表示層の感光層側から光を照射し、第２表示層の電極への電圧印加中には、前記第２表示層の感光層側から光を照射することを特徴とする。
【発明の効果】
【００１１】
本発明の請求項１に記載の発明によれば、複数色の光源を用いる必要なく、カラー画像を記録することができる。
本発明の請求項２に記載の発明によれば、同構成を有さない場合に比べ、表示品質を向上することができる。
本発明の請求項３に記載の発明によれば、同構成を有さない場合に比べ、表示品質を向上することができる。
本発明の請求項４に記載の発明によれば、同構成を有さない場合に比べ、表示色を増加させることができる。
本発明の請求項５に記載の発明によれば、簡易な構成で画像を記録可能な光記録型表示媒体へ画像を記録することができる。
本発明の請求項６に記載の発明によれば、簡易な構成で画像を記録可能な光記録型表示媒体へ画像を記録することができる。
【図面の簡単な説明】
【００１２】
【図１】実施形態に係る記録装置の構成を示すブロック図である。
【図２】実施形態に係る電子ペーパの構成を示す図である。
【図３】液晶層２５０Ｂ、２５０Ｇの反射率特性の一例を示す図である。
【図４】液晶層２５０Ｒの反射率特性の一例を示す図である。
【図５】液晶層２５０Ｂ、２５０Ｇの配向状態の変化を示す図である。
【発明を実施するための形態】
【００１３】
以下、本発明の一実施形態について説明する。
【００１４】
＜実施形態＞
図１は、本発明の実施形態に係る記録装置１００の構成を示すブロック図である。記録装置１００は、記録装置１００に保持された電子ペーパ２００に対して、画像情報に応じた画像を記録する装置である。記録装置１００は、制御部１１０、操作部１２０、光照射部１３０、電圧印加部１４０および情報取得部１５０を備える。
【００１５】
制御部１１０は、ＣＰＵ（Central Processing Unit）などの演算装置やメモリなどの記憶手段を備え、記録装置１００の各部の動作を制御する。操作部１２０は、利用者が記録装置１００に対して選択、確認、取り消しなどの指示を行うための操作を行うタッチパネル、キーボードなどの操作手段であって、操作内容を示す情報を制御部１１０に出力する。
【００１６】
光照射部１３０は、電子ペーパ２００に対して画像を記録するときに、光を照射する光源を有している。この光源は半導体レーザなどであって、光源から発生した光を、回転するポリゴンミラーなどの反射物に反射させて、電子ペーパ２００の画像を表示する単位である画素に対してスポット上の光を照射する。光照射部１３０は、制御部１１０の制御により、スポット状の光が電子ペーパ２００を走査して照射するように制御される。なお、この光源は、複数のＬＥＤ（Light Emitting Diode）が線状に配置され、画像を記録する解像度に応じた範囲に各ＬＥＤの光を収束するレンズを備えたＬＥＤアレイであってもよいし、面状の光源であってもよい。この例においては、光照射部１３０から照射される記録光は、青色に対応する波長の光を用いている。
【００１７】
電圧印加部１４０は、図示しない電極を有し、制御部１１０の制御により、電極を介して電子ペーパ２００に記録電圧を印加する。記録装置１００に電子ペーパ２００が保持されているときに、電圧印加部１４０が記録電圧を発生させると、その記録電圧は、後述する透明電極２２０、２６０間、または後述する透明電極２２２、２６２間に印加される。いずれの電極間に記録電圧を印加するかは、制御部１１０の制御によって決定される。また、電圧印加部１４０からの印加電圧は、制御部１１０により予め設定された態様で変化するように制御され、この変化は光照射部１３０における記録光の照射と同期するように制御されている。
【００１８】
情報取得部１５０は、図示しない記憶手段、外部装置から、制御プログラム、画像を示す画像情報など各種情報を取得する。この例においては、有線、無線などによる通信手段を用いて外部装置からの情報取得の機能を実現している。なお、外部装置より、各種情報を取得する手段は、通信手段に限らず、ＵＳＢメモリ、メモリカードなどの半導体メモリ、ＣＤ、ＤＶＤなどの光ディスクなどから取得するインターフェースであってもよい。以上が記録装置１００の構成についての説明である。
【００１９】
図２は、本発明の実施形態に係る光記録型の表示媒体である電子ペーパ２００の構成を示す図である。電子ペーパ２００は、予め設定された記録電圧が印加されているときに照射された記録光に応じて記録される画像を表示する光記録型表示媒体であって、フィルム基板２７０、２１２に挟まれた第１表示層３００、およびフィルム基板２１２、２１０に挟まれた第２表示層３２０を有する。第１表示層３００は、透明電極２２０、２６０、光導電層２３０、液晶層２５０Ｂ、２５０Ｇを有する。第２表示層３２０は、透明電極２２２、２６２、光導電層２３２、赤吸収層２４０、液晶層２５０Ｒを有する。
【００２０】
フィルム基板２１０、２１２、２７０は、電子ペーパ２００の表面の保護、形状の支持などのために設けられた層である。例えば、ＰＥＴ（ポリエチレンテレフタレート）である。フィルム基板２７０は、記録された画像を使用者が観察する側に設けられている。
【００２１】
透明電極２２０、２２２、２６０、２６２、は、例えば、ＩＴＯ（酸化インジウム錫）を有する層である。透明電極２２０、２２２、２６０、２６２、のそれぞれは、図示しない電極に接続されている。この電極は、記録装置１００に電子ペーパ２００が保持されているときには、電圧印加部１４０の電極と接続される。その状態で電圧印加部１４０から電極を介して電圧が印加されると、上述したように、透明電極２２０、２６０間、または透明電極２２２、２６２間に電圧が印加される。
【００２２】
光導電層２３０、２３２は、照射される記録光が照射されると、光電荷が発生して導電率を異ならせる導電体を有する感光層であって、例えば、有機光導電体を用いる。光導電層２３０、２３２は、この例においては、赤色を透過し、青色と緑色の電荷発生物質を有することより青色および緑色の光を吸収する構成となっている。この光導電層２３０、２３２が透過する光の色は、液晶層２５０Ｒにおいて反射される光の色に対応したものである。ここで、光導電層２３０および光導電層２３２は、液晶層２５０Ｂ、２５０Ｇと液晶層２５０Ｒとに挟まれて配置され、また、フィルム基板２１２、透明電極２２０、２６２を挟むように配置される。
【００２３】
光導電層２３０、２３２は、記録光を吸収すると、吸収した部分の抵抗値が低下する。したがって、電圧印加部１４０によって透明電極２２０、２６０間に電圧が印加されているときに、光導電層２３０と液晶層２５０Ｂ、２５０Ｇとによって分圧されるが、光導電層２３０の抵抗値が低下すると、液晶層２５０Ｂ、２５０Ｇの分圧比が増加し、光導電層２３０の分圧比が低下する。
【００２４】
赤吸収層２４０は、光導電層２３０、２３２を透過した赤色光を吸収する層であり、液晶層２５０Ｒに対して、光導電層２３２とは反対側、すなわちフィルム基板２１０側に設けられる。なお、フィルム基板２１０に接触して設けられていてもよい。また、後述するように、記録光の照射をフィルム基板２７０側から行う場合には、赤色以外の光についても吸収する光吸収層としてもよい。
【００２５】
液晶層２５０Ｂ、２５０Ｇ、２５０Ｒは、印加される電圧に応じて配向が変化することにより光の反射状態を異ならせる表示素子を含み、バインダー樹脂中にマイクロカプセル状のコレステリック液晶表示素子（以下、液晶という）を分散させたものである。液晶は、電圧が印加されていないときの配向状態として、プレーナ配向状態とフォーカルコニック配向状態とになりうる。液晶は、プレーナ配向状態の場合は光を反射して、あらかじめ決められた色を呈し、フォーカルコニック配向状態にある場合は光を透過する。この例においては、液晶層２５０Ｂ、２５０Ｇ、２５０Ｒは、それぞれ青色、緑色、赤色を反射する材料を調整した液晶を有し、プレーナ配向状態である場合には、入射光に対して、それぞれ青色、緑色、赤色を選択反射する。これらの配向状態の制御については後述する。
【００２６】
図３、４、５を用いて、第１表示層３００と第２表示層３２０の各画素における液晶の配向状態の制御の一例について説明する。
【００２７】
図３は、液晶層２５０Ｂ、２５０Ｇの反射率特性を示す図である。図の縦軸は、液晶層２５０Ｂ、２５０Ｇの反射率であり、横軸は、液晶層２５０Ｂ、２５０Ｇ全体（以下、液晶層ＢＧという）に印加される電圧を示している。図４は、液晶層２５０Ｒの反射率特性を示す図である。図の縦軸は、液晶層２５０Ｒの反射率であり、横軸は、液晶層２５０Ｒに印加される電圧を示している。
【００２８】
プレーナ配向状態とフォーカルコニック配向状態は、無電界で双安定に存在する。図３に示すように、液晶層ＢＧに印加される電圧が増加し、しきい値電圧ＶＢｐｆを超えると、液晶層２５０Ｂはフォーカルコニック配向状態となり、しきい値電圧ＶＧｐｆを超えると、液晶層２５０Ｇもフォーカルコニック配向状態となる。さらに電圧が増加し、しきい値電圧ＶＢｆｈを超えると、液晶層２５０Ｂはホメオトロピック配向状態となり、しきい値電圧ＶＧｆｈを超えると、液晶層２５０Ｇもホメオトロピック配向状態となる。
【００２９】
液晶層２５０Ｒについては、図４に示すように、液晶層２５０Ｒに印加される電圧が増加し、しきい値電圧ＶＲｐｆを超えると、液晶層２５０Ｒはフォーカルコニック配向状態となり、さらに電圧が増加し、しきい値電圧ＶＲｆｈを超えると、液晶層２５０Ｒはホメオトロピック配向状態となる。そして、ホメオトロピック配向状態において、電圧の印加を停止すると、ホメオトロピック配向状態は、プレーナ配向状態に変化し、プレーナ配向状態として維持され安定する。
【００３０】
このしきい値電圧ＶＢｐｆとしきい値電圧ＶＧｐｆとは異なる電圧であり、しきい値電圧ＶＢｆｈとしきい値電圧ＶＧｆｈとについても、異なる電圧となっている。これらのしきい値電圧の関係は、ＶＢｐｆ＜ＶＧｐｆ、ＶＢｆｈ＜ＶＧｆｈとなっている。以上が、電子ペーパ２００の構成についての説明である。
【００３１】
記録装置１００における電子ペーパ２００への画像の記録動作について、図３、図４、図５を用いて説明する。記録装置１００は、電子ペーパ２００を保持し、操作部１２０の操作などによって画像の記録指示がされると、制御部１１０は、カラーの画像を示す画像情報を取得し、電子ペーパ２００への画像の記録処理を開始する。
【００３２】
まず、第２表示層３２０に対する制御を行って、画像の赤色成分の記録が行われる。制御部１１０は、電圧印加部１４０を制御して、透明電極２２２、２６２間に記録電圧Ｖ３を印加させると、光導電層２３２と液晶層２５０Ｒとによって分圧され、液晶層２５０Ｒには、電圧Ｖ３Ｌが印加される。
【００３３】
そして、制御部１１０は、画像情報の赤色成分の情報に応じて、光照射部１３０から記録光を照射すると、光導電層２３２の抵抗が低下し、液晶層２５０Ｒの分圧比が増加する。ここで、記録光の照射は、フィルム基板２７０側から行われる。この際、光導電層２３０に記録光の一部が吸収されるため、後述するように第１表示層３００に対する制御のときに照射する記録光よりも光量を大きくし、光導電層２３２に対して必要な光量が到達するようにしてもよい。また、フィルム基板２１０側から記録光を照射するように光照射部１３０を構成してもよい。
【００３４】
これにより、液晶層２５０Ｒのうち、記録光が照射された領域については、印加される電圧が電圧Ｖ３Ｈに増加する。そして、記録電圧Ｖ３の印加を停止すると、記録光が照射された部分の液晶層２５０Ｒがプレーナ配向状態となり、赤色を選択反射する状態となる。なお、画像の記録前にすでに記録されている画像を消去するなどの初期化処理を行ってもよい。
【００３５】
ここで、光導電層２３０、２３２は、ともに赤色の光を透過するから、フィルム基板２７０側から入射する外光のうち、赤色の光が液晶層２５０Ｒに到達し、液晶層２５０Ｒのプレーナ配向状態の部分において反射される赤色の光は、再びフィルム基板２７０から放射される。一方、液晶層２５０Ｒのフォーカルコニック配向状態の部分において透過する赤色の光は、赤吸収層２４０において吸収される。
【００３６】
次に、第１表示層３００に対する制御を行って、画像の緑色成分、青色成分の記録が行われる。以下の説明においては、プレーナ配向状態をＰとし、フォーカルコニック配向状態をＦとし、液晶層２５０Ｂと２５０Ｇとの配向状態の関係を例えば（Ｐ，Ｐ）のように示す。ここで、液晶層２５０Ｂ、２５０Ｇの配向状態の組み合わせは、（Ｐ，Ｐ）、（Ｐ，Ｆ）、（Ｆ，Ｐ）、（Ｆ，Ｆ）の４通りである。この４通りの液晶配向状態にするための制御について説明する。
【００３７】
図５は、液晶層２５０Ｂ、２５０Ｇの液晶配向状態の変化を示している。制御部１１０は、電圧印加部１４０を制御して、透明電極２２０、２６０間に記録電圧Ｖ１を印加させると、光導電層２３２と液晶層ＢＧとによって分圧され、液晶層ＢＧには、電圧Ｖ１Ｌ（ＶＢｆｈ＜Ｖ１Ｌ＜ＶＧｆｈ）が印加される。この状態において、液晶層２５０Ｂは、ホメオトロピック配向状態となり、液晶層２５０Ｇは、フォーカルコニック配向状態となる。
【００３８】
そして、制御部１１０は、画像情報の緑色成分の情報に応じて、光照射部１３０から記録光を照射すると、光導電層２３０の抵抗が低下し、液晶層ＢＧの分圧比が増加する。ここで、記録光の照射は、フィルム基板２７０側から行われる。なお、フィルム基板２１０側から照射してもよく、このとき光量を大きくしてもよい。
【００３９】
これにより、液晶層ＢＧのうち、記録光が照射された領域については、印加される電圧が電圧Ｖ１Ｈ（ＶＧｆｈ＜Ｖ１Ｈ）に増加する。そして、記録電圧Ｖ１の印加を停止すると、液晶の配向状態は、記録光が照射されていない部分は（Ｐ，Ｆ）となり、記録光が照射された部分は液晶層２５０Ｇがプレーナ配向状態となって（Ｐ，Ｐ）となる。なお、画像の記録前にすでに記録されている画像を消去するなどの初期化処理を行ってもよい。
【００４０】
次に、制御部１１０は、電圧印加部１４０を制御して、透明電極２２０、２６０間に記録電圧Ｖ２を印加させると、光導電層２３２と液晶層ＢＧとによって分圧され、液晶層ＢＧには、電圧Ｖ２Ｌ（Ｖ２Ｌ＜ＶＢｐｆ）が印加される。この状態において、液晶層２５０Ｂ、２５０Ｇは、それぞれ、上記の配向状態（（Ｐ，Ｆ）、（Ｐ，Ｐ）のいずれか）を保っている。
【００４１】
そして、制御部１１０は、画像情報の青色成分の情報に応じて、光照射部１３０から記録光を照射すると、光導電層２３０の抵抗が低下し、液晶層ＢＧの分圧比が増加する。このとき、記録光の照射は、フィルム基板２７０側から行われる。これにより、液晶層２５０Ｂ、２５０Ｇのうち、記録光が照射された領域については、印加される電圧が電圧Ｖ２Ｈ（ＶＢｐｆ＜Ｖ２Ｈ＜ＶＧｐｆ）に増加する。これにより、記録光が照射された部分の液晶層２５０Ｂがフォーカルコニック配向状態となる。すなわち、配向状態が（Ｐ，Ｆ）であった部分のうち、記録光が照射された部分は（Ｆ，Ｆ）となり、（Ｐ，Ｐ）であった部分のうち、記録光が照射された部分は、（Ｆ，Ｐ）となる。一方、記録光が照射されなかった部分は、元の配向状態（（Ｐ，Ｆ）、（Ｐ，Ｐ）のいずれか）となる。そして、記録電圧Ｖ２の印加を停止しても、これらの配向状態は維持される。
【００４２】
このようにして、制御部１１０は、画像情報の緑色成分および青色成分に応じて、光照射部１３０および電圧印加部１４０を制御して、記録電圧Ｖ１の印加中の記録光照射の有無、および記録電圧Ｖ２の印加中の記録光照射の有無によって、液晶層２５０Ｂ、２５０Ｇの配向を（Ｐ，Ｐ）、（Ｐ，Ｆ）、（Ｆ，Ｐ）、（Ｆ，Ｆ）のいずれかの組み合わせとして選択する。
【００４３】
ここで、フィルム基板２７０側から入射した外光が液晶層２５０Ｂ、２５０Ｇにおいて反射せず、透過した光については、上述したように、赤色の光が透過し、青色の光と緑色の光は、光導電層２３０、２３２において吸収される。なお、赤吸収層２４０が赤色の光以外も吸収する光吸収層であれば、光導電層２３０、２３２において吸収しきれずに透過した光を光吸収層で吸収させてもよい。
【００４４】
これにより、液晶層２５０Ｂ、２５０Ｇ、２５０Ｒがすべてフォーカルコニック配向状態の部分は、フィルム基板２７０側からは黒に見えることとなる。その他、液晶層２５０Ｒがプレーナ配向状態であり、液晶層２５０Ｂ、２５０Ｇの配向状態が（Ｐ，Ｐ）であれば白、（Ｐ，Ｆ）であればマゼンタ、（Ｆ，Ｐ）であればイエロー、（Ｆ，Ｆ）であれば赤、液晶層２５０Ｒがフォーカルコニック配向状態であり、（Ｐ，Ｐ）であればシアン、（Ｐ，Ｆ）であれば青、（Ｆ，Ｐ）であれば緑に見えることになる。
【００４５】
なお、以上の制御は、第２表示層３２０、第１表示層３００の順序で行っているが、これとは逆に、第１表示層３００、第２表示層３２０の順序で行ってもよい。
【００４６】
このように、本発明の実施形態に係る光記録型表示媒体である電子ペーパ２００を用いると、光導電層２３０、２３２が共通のものとなり、記録装置１００におけるカラー画像の記録には、光照射部１３０から照射する記録光の色を少なくとも一色用いればよい。
【００４７】
以上、本発明の実施形態について説明したが、本発明は以下のように、さまざまな形態で実施可能である。
【００４８】
＜変形例１＞
上述した実施形態において、光照射部からの照射光は、青色であるが、これに限定されることはなく、例えば緑色であってもよい。
【００４９】
＜変形例２＞
上述した実施形態における液晶層２５０Ｂ、２５０Ｇ、２５０Ｒの積層順序は、反射光の波長の順序となっているが、これに限定されることはない。この場合、光導電層２３０、２３２は、第２表示層３２０の液晶層が反射する色の光を透過するように構成すればよい。すなわち、光導電層２３０、２３２は、画像を確認する側から見て、光導電層２３０、２３２の向こう側にある液晶層が反射する色の光を透過する構成とすればよく、それ以外の色については、吸収するようにすればよい。なお、吸収しきれない色について、その色を吸収する吸収層を記録光の照射の妨げにならない層に設ければよい。
【００５０】
＜変形例３＞
上述した実施形態における第１表示層３００は、液晶層２５０Ｂ、２５０Ｇの２層を有していたが、いずれか１層、または反射する色がこれらとは異なる１層の液晶層であってもよい。逆に、第２表示層３２０は、液晶層２５０Ｒの１層であったが、反射する色が異なる液晶層がさらに積層されていてもよい。この場合には、光導電層２３０、２３２において透過する色を第２表示層３２０における液晶層において反射する色とすればよい。
【００５１】
＜変形例４＞
上述した実施形態において、電子ペーパ２００は、フィルム基板２１２を用いない構成であってもよい。この場合、透明電極２２０、２６２は、共通化して一の透明電極とする構成としてもよい。
【００５２】
＜変形例５＞
上述した実施形態において、光導電層２３０、２３２は、赤色を透過する構成となっている。しかし、これに限定されることはなく、光導電層２３０、２３２は、例えば、赤色と緑色を透過させ、青色を吸収する構成としてもよい。この場合、赤吸収層２４０は、赤色の光だけでなく、緑色の光についても吸収するようにすればよい。さらに、液晶層２５０Ｇは第２表示層３２０に設けられるようにしてもよい。
【符号の説明】
【００５３】
１００…記録装置、１１０…制御部、１２０…操作部、１３０…光照射部、１４０…電圧印加部、１５０…情報取得部、２００…電子ペーパ、２１０，２１２，２７０…フィルム基板，２２０，２２２，２６０，２６２…透明電極、２３０，２３２…光導電層、２４０…赤吸収層、２５０Ｂ，２５０Ｇ，２５０Ｒ…液晶層、３００…第１表示層、３２０…第２表示層
【図１】
2010191191.tif 000003
【図２】
2010191191.tif 000004
【図３】
2010191191.tif 000005
【図４】
2010191191.tif 000006
【図５】
2010191191.tif 000007